(57)【特許請求の範囲】
【請求項１】
一対の挟持部材の中間部分を重畳し、重畳箇所を回転自在に固定し、前記挟持部材の先端部には突き当て部を、他方端には把手部を有し、前記重畳箇所には把手部を開方向に回動付勢する付勢部を有したＯ-リング測定具において、前記挟持部材の一方の先端部には、突き当て部の開度を測定する測定子を設けてなることを特徴とするＯ−リング測定具。
【請求項２】
前記一対の挟持部材は、同一形状を持ってなることを特徴とする請求項１記載のＯ−リング測定具。
【請求項３】
前記挟持部材の前記測定子を設置した前記重畳箇所の反対側の把手部には、把手部の閉度を測定する第二の測定子を設けてなることを特徴とする請求項１ないし２に記載のＯ−リング測定具。
【発明の詳細な説明】
【０００１】
【発明の属する技術分野】
本発明は、被験者の親指とその他の指一本でつくるＯ−リングの維持力（開く力）の測定具に関する。
【０００２】
【従来の技術】
「生体そのものが極めて敏感なセンサーで、毒物を近づけたり、体に合わない薬剤を手に持たせたりすると、筋の緊張は低下し、逆に有効な薬剤では緊張が良好に保たれる」という原理に基づき、筋の緊張を利用して生体情報を感知する検査方法として、いわゆるＯ−リングテストが行われている。「日本バイ・デジタルＯ−リングテスト協会」のホームページ（http://bdort.net/as/gaiyou.htm）によると、Ｏ−リングテストは日本人医師大村恵昭博士が１９７７年ころ考案し、１９８１年に最初の論文が発表されたとのことである。身体の異常のある部位に微かな刺激を与えるだけで指の力が弱まること、そして、ある臓器に、その臓器がコントロールする物質や分泌物、或いは臓器と共通する因子を近づけた場合も、指の力が著しく変化することも明らかとなった。
【０００３】
Ｏ−リングテストは、おおむね、以下の方法で実施する。被験者の右手に第一指と第二指の先を合わせた輪(Ｏ−リング)を作らせる。検査者は被験者と向かい合って、第一指と第二指の先を合わせた輪(Ｏ−リング)を両手に作り、被験者の輪(Ｏ−リング)に検査者の輪(Ｏ−リング)を通して３個の輪(Ｏ−リング)を鎖状に連結する。検査者は被験者の輪(Ｏ−リング)に通した検査者の両方の輪(Ｏ−リング)を、両肘をやや張って被験者の輪(Ｏ−リング)を左右一直線方向に引っ張る。被験者は、自分の輪(Ｏ−リング)を開かれないように力を入れて維持するように努める。その際の、被験者の輪(Ｏ−リング)が開くかどうか、あるいは、その開き具合で、臓器の異常箇所を判定、薬剤の適合性、治療経過の確認を判定するものである。
【０００４】
被験者のＯリングの開放度合を「全開」「３／４開」「１／２開」「１／４開」「開かず」さらに「開かずの程度をさらに４段階に評価」に区分して検査するため、検査者のＯ−リングの引張り方（方向、力の入れ方、Ｏ−リングの形を崩さない）等にかなりの熟練を要していた。また、やり方によっては、検査者の身体の状況が検査者のＯ−リングから被験者のＯ−リングを経由して被験者の検査結果に反映される等の危険性があった。
このＯ−リングテストの応用として、ａ．薬を使うとき、その薬が被験者に最も適しているか、またそのときの量は、ｂ．薬、薬草、漢方薬、食べ物や飲み物がその人の身体に良好か、害があるのか、ｃ．どの臓器にどう言う作用があるか、ｄ．各臓器に対する薬や鍼等の治療効果等の検査が可能となってきた。例えば、治療に使う薬の影響については、Ｏ−リングテストを行わない手に検査しようとする薬を乗せ、薬を持っていない手でＯ−リングテストを行い、薬の影響を判断する。このように、人間の身体は無意識のうちに周囲の環境および物に数多くの影響を受けやすくできている。従って、検査時の被験者の周囲環境あるいは検査者の影響について一層の配慮が要求される。極論すると、検査するもの以外は検査者といえども被験者に接触しない等の配慮が必要であった。
【０００５】
Ｏ−リングテストの詳細は、大村恵昭氏他著「図説バイ・ディジタルＯ−リングテストの実習」等に記載され、広く知られている。
【０００６】
被験者のＯ−リングで開き方向に力を加えるには、被験者のＯ−リングの維持力とほぼ同等の力を持つＯ−リングの維持力を選定することが必要である。このためには、検査者の親指と人指し指のＯ−リングを基準にして、このＯ−リングの維持力に見合う維持力を持つ被験者のＯ−リングを見つけ出し検査に使用する。検査者の親指と人指し指のＯ−リングに対して被験者のＯ−リングを親指と人指し指、次に親指と中指、親指と薬指というように変化させて、検査者のＯ−リングとほぼ同等の維持力を持つＯ−リングを選定し検査に使用する。
検査者のＯ−リングが親指と人差し指を基準にするのは、「開かずの程度をさらに４段階に評価」するために、Ｏ−リングの指を順次増していくことが必要となる。当初は親指と人差し指のＯ−リング、以降、親指と人差し指に中指をくわえ、順次Ｏ−リングの力を増していき被験者のＯ−リングを引っ張り検査する。通常では、検査者は、中指、薬指、小指を当初は使用しない。上術の「開かずの程度をさらに４段階に評価」する時のみ中指、薬指、小指を使用する。
【０００７】
【発明が解決しようとする課題】
本発明は、上述のＯ−リングテスト上の問題点であるａ．熟練が必要、ｂ．検査者の影響、ｃ．検査環境の影響を解決するために、被験者自身が作るＯ―リングの維持力を検査者の手を煩わせず被験者自身で測定できる測定具を提供することを目的としている。
【０００８】
【課題を解決するための手段】
上記課題を達成する為に、本発明は、一対の挟持部材の中間部分を重畳し、重畳箇所を回転自在に固定し、前記挟持部材の先端部には突き当て部を、他方端には把手部を有し、前記重畳箇所には把手部を開方向に回動付勢する付勢部を有したＯ-リング測定具において、前記挟持部材の先端部の一方には、突き当て部の開度を測定する測定子を設けたＯ−リング測定具を提供するものである。
【０００９】
他の発明は、前記一対の挟持部材は、同一形状を持っているＯ−リング測定具を提供するものである。
【００１０】
他の発明は、前記挟持部材の前記測定子と反対側の把手部には、把手部の閉度を測定する第二の測定子を設けているＯ−リング測定具を提供するものである。
【００１１】
【発明の実施の形態】
本発明ついて、図１〜図３により詳細に説明する。図１ａ）は、Ｏ−リング測定具の正面図、図１ｂ）は側面図である。挟持部材１ならびに挟持部材２は、Ｏ−リングテストに支障を来たさないように、電場、磁場等の影響を受けない、絶縁材料の樹脂で構成されており、各々突き当て部1ａ，２ａ、表面にすべり止め１ｂ、２ｂ、把手部１ｃ、２ｃを持つ構造である。挟持部材１ならびに挟持部材２は、ほぼ中間部分で固定ピン３、固定ナット４により回動自在に固定され、固定ピン３には把手部１ｃ、２ｃを開方向に付勢する付勢バネ６が取り付けられている。この固定ピン３、固定ナット４、付勢バネ６も、電場、磁場等の影響を受けないように非磁性材料で構成されている。被験者は指でＯ−リングを造る替わりに把手部１ｃには親指を、把手部２ｃにはその他の指１本を掛けて２本の指で把手部１ｃ、２ｃを閉じる方向に力Ｆを加える。この力ＦがＯ−リングテストの維持力に相当するものであるが、力を加えることにより、突き当て部1ａ，２ａには加えられた力に相当するだけの変位量が隙間として現れる。測定子５は突き当て部１ａ側に、閉状態を変位量０として固定されており、材料は透明あるいは半透明で構成されているため、突き当て部の隙間を直接的に測定子５の目盛５ａによって読み取ることが出来る。Ｏ−リングテストでは、強さの絶対比較ではなく、一人の被験者で、臓器代表点に異常がある時とない時の指の力の差が明確にでき、それを数値で把握することが出来れば良い為、付勢バネ６は、弾性限界内で再現性のあるバネを使用することが重要である。本実施例では、付勢バネ４はねじりバネを使用しているが、把手部１ｃ、２ｃを開口方向に付勢するコイルバネ等の圧縮バネであっても良い。図２ａ）は，図１のＡ−Ａ断面を表したものである。挟持部材１ならびに挟持部材２は、軽量化するために、薄肉構造で、適宜リブ７により補強された構造である。図２ｂ）は、回動固定部のＢ−Ｂ断面である。挟持部材１ならびに挟持部材２に付勢バネ６を取付け、固定ピン３を通して固定ナット４により固定する構造としている。ここで、挟持部材１ならびに挟持部材２の回動固定部での組み合わせを図２ｂ）のように、互いにずらして固定すると、挟持部材１ならびに挟持部材２は全く同一形状にて製造することが出来、成型時の金型費等を安価にすることが出来る。
【００１２】
次に、Ｏ−リング力が強い被験者に対するＯ−リング測定具について、図３にて説明する。通常は、Ｏ−リング力の強い被験者の場合には、強度の違う付勢バネ６を数種類準備しておき、その都度交換することも出来る。しかし、検査の度に付勢バネを交換するのは実用的ではない。そこで、測定子５の目盛５ａを超える指の力の場合、目盛５ａのＭＡＸに合わせて、挟持部材１あるいは挟持部材２の把手側に目盛５ａのＭＡＸ時を目盛０とする第二測定子８を設けたＯ−リング測定具とすることで広範囲の被験者に迅速に対応できる。
【００１３】
【発明の効果】
上述のように、本Ｏ−リング測定具を使用することにより、Ｏ−リング力を変位量として数値化できるため、熟練の必要のないＯ−リングテストが出来る。また、検査者を煩わせずに、被験者自身でＯ−リング力の測定が出来る為、検査者の身体の影響を受けることなく、周囲環境に左右されないＯ−リングテストが実現できる。
構造上、二つの挟持部材を同一形状とすることで安価なＯ−リング測定具を実現できる。一方、測定子を２ヶ備えることで、Ｏ−リング力の強い被験者から弱い被験者まで、幅広く使用することが出来る。
【図面の簡単な説明】
【図１】本発明の実施の形態に係わるＯ−リング測定具の正面図を示す一実施例である。
【図２】本発明の実施の形態に係わるＯ−リング測定具の断面図を示す一実施例である。
【図３】本発明の実施の形態に係わるＯ−リング測定具の測定範囲を拡張した一実施例である。
【符号の説明】
１、２…挟持保持部材
１ａ、２ａ…突き当て部
１ｂ、２ｂ…すべり止め
１ｃ、２ｃ…把手部
３…固定ピン
４…固定ナット
５…測定子
６…付勢バネ
７…補強リブ
８…第二測定子
【図１】
0003643365.tif 000002
【図２】
0003643365.tif 000003
【図３】
0003643365.tif 000004